(57)【要約】【課題】液晶表示パネルの表示領域を十分に確保するとともに、美的外観に優れる電子機器を提供する。【解決手段】時計ケース２内に、液晶表示パネル８と、この液晶表示パネル８よりも外光入射側と反対側に位置して電波信号により情報の送信及び受信のうちの少なくとも何れか一方を行うアンテナ９とを備える腕時計１００であって、液晶表示パネル８の二つの偏光部材のうち、外光入射側と反対側に設けられた偏光部材を、可視光域の全ての波長の光を反射するとともにアンテナ９により送信又は受信される波長の電波信号を透過する反射型偏光フィルム８４とした。【選択図】図２
2006292428.tif 000002
【特許請求の範囲】
【請求項１】
少なくとも外光入射側が開口してなる機器ケースと、
この機器ケース内に配設され、第一の光透過基板とこの第一の光透過基板の前記外光入射側と反対側に配設された第二の光透過基板との間に液晶が設けられた液晶表示パネルと、
この液晶表示パネルよりも外光入射側と反対側に位置するように前記機器ケース内に配設され、電磁波を用いて情報の送信及び受信のうちの少なくとも何れか一方を行う通信素子と、を備え、
前記液晶表示パネルは、
前記第一の光透過基板よりも外光入射側に設けられた第一の偏光部材と、前記第二の光透過基板よりも外光入射側と反対側に設けられた第二の偏光部材とを有し、
この第二の偏光部材は、可視光の全ての波長のうちの少なくとも一部の波長の光を反射するとともに前記通信素子により送信又は受信される波長の電磁波を透過する反射型偏光フィルムであることを特徴とする電子機器。
【請求項２】
前記液晶表示パネルと前記通信素子との間に配設された導光板と、
この導光板の外側に設けられ、前記導光板に光を照射する発光素子とを備えることを特徴とする請求項１に記載の電子機器。
【請求項３】
少なくとも外光入射側が開口してなる機器ケースと、
この機器ケース内に配設された液晶表示パネルと、
この液晶表示パネルよりも外光入射側と反対側に位置するように前記機器ケース内に配設され、電磁波を用いて情報の送信及び受信のうちの少なくとも何れか一方を行う通信素子と、
前記液晶表示パネルと前記通信素子との間に配設され、且つ、可視光の全ての波長のうちの少なくとも一部の波長の光を反射するとともに前記通信素子により送信又は受信される波長の電磁波を透過する光反射フィルムと、
を備えていることを特徴とする電子機器。
【請求項４】
前記液晶表示パネルと前記光反射フィルムとの間に配設された導光板と、
この導光板の外側に設けられ、前記導光板に光を照射する発光素子とを備えることを特徴とする請求項３に記載の電子機器。
【請求項５】
前記通信素子は、電波信号の送信及び受信のうちの少なくとも何れか一方を行うアンテナであることを特徴とする請求項１〜４の何れか一項に記載の電子機器。
【請求項６】
前記通信素子は、赤外線通信用の通信素子であることを特徴とする請求項１〜４の何れか一項に記載の電子機器。
【請求項７】
少なくとも外光入射側が開口してなる機器ケースと、
この機器ケース内に配設され、第一の光透過基板とこの第一の光透過基板の前記外光入射側と反対側に配設された第二の光透過基板との間に液晶が設けられた液晶表示パネルと、
この液晶表示パネルよりも外光入射側と反対側に位置するように前記機器ケース内に配設され、電波を用いて情報の送信及び受信のうちの少なくとも何れか一方を行うためのアンテナを有する無線モジュールと、を備え、
前記液晶表示パネルは、
前記第一の光透過基板よりも外光入射側に設けられた第一の偏光部材と、前記第二の光透過基板よりも外光入射側と反対側に設けられた第二の偏光部材とを有し、
この第二の偏光部材は、可視光の全ての波長のうちの少なくとも一部の波長の光を反射するとともに前記無線モジュールの前記アンテナにより送信又は受信される波長の電波を透過する反射型偏光フィルムであることを特徴とする電子機器。
【請求項８】
少なくとも外光入射側が開口してなる機器ケースと、
この機器ケース内に配設された液晶表示パネルと、
この液晶表示パネルよりも外光入射側と反対側に位置するように前記機器ケース内に配設され、電波を用いて情報の送信及び受信のうちの少なくとも何れか一方を行うためのアンテナを有する無線モジュールと、
前記液晶表示パネルと前記無線モジュールとの間に配設され、且つ、可視光の全ての波長のうちの少なくとも一部の波長の光を反射するとともに前記無線モジュールの前記アンテナにより送信又は受信される波長の電波を透過する光反射フィルムと、
を備えていることを特徴とする電子機器。
【発明の詳細な説明】
【技術分野】
【０００１】
本発明は、液晶表示パネルを備えた電子機器に関する。
【背景技術】
【０００２】
従来より、電子機器としての腕時計や携帯電話機等には、機器ケース内に時刻等の各種の情報を表示する液晶表示パネルが設けられている。
また、これらの電子機器として、光や電波等の電磁波を用いて外部通信機器に情報を送信したり外部通信機器から送信された情報を受信するための通信素子や無線モジュールを備えたものが知られている（例えば、特許文献１参照。）。
【特許文献１】特開２００２−２８６８７９号公報
【発明の開示】
【発明が解決しようとする課題】
【０００３】
ところで、上記特許文献１等の場合、通信素子や無線モジュールによる情報の送信や受信を感度良く行うためには、当該通信素子や無線モジュールの外光入射側に電磁波の送受信の障害となる金属製部材が配置されないようにすることが好ましい。具体的には、例えば、アルミニウムや銀等を有してなる反射板を備える液晶表示パネルと通信素子等とが外光入射側から見て重ならないように、電子機器の厚さ方向に直交する方向に並設されることが好ましい。
しかしながら、液晶表示パネルが通信素子等と重ならないように配設される場合、液晶表示パネルの配置が制約を受けて当該液晶表示パネルの表示領域を十分に確保することができなくなってしまうといった問題がある。
また、かかる場合に、通信素子等が通信感度を向上させる上でその表面を機器ケースの外光入射側に臨ませるように配設されると、当該通信素子等の表面が外光入射側に露出された状態となることから、電子機器の美的外観を損ねてしまうといった問題が生じる虞もある。
【０００４】
そこで、本発明の課題は、液晶表示パネルの表示領域を十分に確保することができるとともに、美的外観に優れる電子機器を提供することである。
【課題を解決するための手段】
【０００５】
請求項１に記載の発明の電子機器（例えば、図１の腕時計１００等）は、
少なくとも外光入射側が開口してなる機器ケース（例えば、図２の時計ケース２等）と、
この機器ケース内に配設され、第一の光透過基板（例えば、図２の第一の光透過基板８１）とこの第一の光透過基板の前記外光入射側と反対側に配設された第二の光透過基板（例えば、図２の第二の光透過基板８２）との間に液晶が設けられた液晶表示パネル（例えば、図２の液晶表示パネル８等）と、
この液晶表示パネルよりも外光入射側と反対側に位置するように前記機器ケース内に配設され、電磁波を用いて情報の送信及び受信のうちの少なくとも何れか一方を行う通信素子（例えば、図２のアンテナ９等）と、を備え、
前記液晶表示パネルは、
前記第一の光透過基板よりも外光入射側に設けられた第一の偏光部材（例えば、図２の上偏光板８３等）と、前記第二の光透過基板よりも外光入射側と反対側に設けられた第二の偏光部材（例えば、図２の反射型偏光フィルム８４等）とを有し、
この第二の偏光部材は、可視光の全ての波長のうちの少なくとも一部の波長の光を反射するとともに前記通信素子により送信又は受信される波長の電磁波を透過する反射型偏光
フィルムであることを特徴としている。
【０００６】
請求項２に記載の発明は、請求項１に記載の電子機器において、
前記液晶表示パネルと前記通信素子との間に配設された導光板（例えば、図８の導光板１７）と、
この導光板の外側に設けられ、前記導光板に光を照射する発光素子（例えば、図８のＬＥＤ１６等）とを備えることを特徴としている。
【０００７】
請求項３に記載の発明の電子機器（例えば、図５の腕時計２００等）は、
少なくとも外光入射側が開口してなる機器ケース（例えば、図５の時計ケース２等）と、
この機器ケース内に配設された液晶表示パネル（例えば、図５の液晶表示パネル２０８等）と、
この液晶表示パネルよりも外光入射側と反対側に位置するように前記機器ケース内に配設され、電磁波を用いて情報の送信及び受信のうちの少なくとも何れか一方を行う通信素子（例えば、図５のアンテナ９等）と、
前記液晶表示パネルと前記通信素子との間に配設され、且つ、可視光の全ての波長のうちの少なくとも一部の波長の光を反射するとともに前記通信素子により送信又は受信される波長の電磁波を透過する光反射フィルム（例えば、図５の光反射フィルム１５）と、
を備えていることを特徴としている。
【０００８】
請求項４に記載の発明は、請求項３に記載の電子機器において、
前記液晶表示パネルと前記光反射フィルムとの間に配設された導光板（例えば、図１１の導光板１７）と、
この導光板の外側に設けられ、前記導光板に光を照射する発光素子（例えば、図１１のＬＥＤ１６等）とを備えることを特徴としている。
【０００９】
請求項５において、請求項１〜４の何れか一項に記載の電子機器において、
前記通信素子は、電波信号の送信及び受信のうちの少なくとも何れか一方を行うアンテナ（例えば、図１のアンテナ９等）であることを特徴としている。
【００１０】
請求項６に記載の発明は、請求項１〜４の何れか一項に記載の電子機器において、
前記通信素子は、赤外線通信用の通信素子（例えば、図４の赤外線通信モジュール１３等）であることを特徴としている。
【００１１】
請求項７に記載の発明の電子機器（例えば、図１７の携帯電話機６００等）は、
少なくとも外光入射側が開口してなる機器ケース（例えば、図１７の筐体６０３Ａ）と、
この機器ケース内に配設され、第一の光透過基板（例えば、図１７の第一の光透過基板８１）とこの第一の光透過基板の前記外光入射側と反対側に配設された第二の光透過基板（例えば、図１７の第二の光透過基板８２）との間に液晶が設けられた液晶表示パネル（例えば、図１７の液晶表示パネル６０８等）と、
この液晶表示パネルよりも外光入射側と反対側に位置するように前記機器ケース内に配設され、電波を用いて情報の送信及び受信のうちの少なくとも何れか一方を行うためのアンテナ（例えば、図１７のアンテナ６０９Ａ）を有する無線モジュール（例えば、図１７の無線モジュール６０９）と、を備え、
前記液晶表示パネルは、
前記第一の光透過基板よりも外光入射側に設けられた第一の偏光部材（例えば、図１７の上偏光板８３）と、前記第二の光透過基板よりも外光入射側と反対側に設けられた第二の偏光部材（例えば、図１７の反射型偏光フィルム８４）とを有し、
この第二の偏光部材は、可視光の全ての波長のうちの少なくとも一部の波長の光を反射するとともに前記無線モジュールの前記アンテナにより送信又は受信される波長の電波を透過する反射型偏光フィルムであることを特徴としている。
【００１２】
請求項８に記載の発明の電子機器（例えば、図１９の携帯電話機７００）は、
少なくとも外光入射側が開口してなる機器ケース（例えば、図１９の筐体６０３Ａ）と、
この機器ケース内に配設された液晶表示パネル（例えば、図１９の液晶表示パネル７０８）と、
この液晶表示パネルよりも外光入射側と反対側に位置するように前記機器ケース内に配設され、電波を用いて情報の送信及び受信のうちの少なくとも何れか一方を行うためのアンテナ（例えば、図１９のアンテナ６０９Ａ）を有する無線モジュール（例えば、図１９の無線モジュール６０９）と、
前記液晶表示パネルと前記無線モジュールとの間に配設され、且つ、可視光の全ての波長のうちの少なくとも一部の波長の光を反射するとともに前記無線モジュールの前記アンテナにより送信又は受信される波長の電波を透過する光反射フィルム（例えば、図１９の光反射フィルム１５）と、
を備えていることを特徴としている。
【発明の効果】
【００１３】
請求項１に記載の発明によれば、反射型偏光フィルムは、通信素子により送信又は受信される波長の電磁波を透過するので、液晶表示パネルよりも外光入射側と反対側に通信素子を配設しても、当該通信素子による電磁波の通信感度が低下することがなくなって、当該反射型偏光フィルムを備える液晶表示パネルの表示領域を十分に確保することができる。これにより、機器ケースを金属製としても通信素子による通信を適正に行うことができる。
また、反射型偏光フィルムは、可視光の全ての波長のうちの少なくとも一部の波長の光を反射するので、当該反射型偏光フィルムによって通信素子が機器ケースの外光入射側からは見えないこととなって、美的外観に優れたものとすることができる。
【００１４】
請求項２に記載の発明によれば、請求項１に記載の発明と同様の効果が得られるのは無論のこと、特に、液晶表示パネルと通信素子との間に配設された導光板によって、当該導光板に対して発光素子から照射され入射された光が導光されるので、導光された光が液晶表示パネルに照射されることなって、暗所にて液晶表示パネルに表示された情報を機器ケースの外光入射側からより適正に視認することができる。
【００１５】
請求項３に記載の発明によれば、液晶表示パネルよりも外光入射側と反対側に配設される光反射フィルムは、通信素子により送信又は受信される波長の電磁波を透過するので、光反射フィルムよりも外光入射側と反対側に通信素子を配設しても、当該通信素子による電磁波の通信感度が低下することがなくなって、液晶表示パネルの表示領域を十分に確保することができる。これにより、機器ケースを金属製としても通信素子による通信を適正に行うことができる。
また、光反射フィルムは可視光の全ての波長のうちの少なくとも一部の波長の光を反射するので、当該光反射フィルムによって通信素子が機器ケースの外光入射側からは見えないこととなって、美的外観に優れたものとすることができる。
【００１６】
請求項４に記載の発明によれば、請求項３に記載の発明と同様の効果が得られるのは無論のこと、特に、液晶表示パネルと光反射フィルムとの間に配設された導光板によって、当該導光板に対して発光素子から照射され入射された光が導光されるので、導光された光が液晶表示パネルに照射されることなって、暗所にて液晶表示パネルに表示された情報を
機器ケースの外光入射側からより適正に視認することができる。
【００１７】
請求項５に記載の発明によれば、請求項１〜４に記載の発明と同様の効果が得られるのは無論のこと、特に、アンテナによる電波信号の通信感度が低下することがなくなって、当該アンテナを用いて電波信号の送信及び受信のうちの少なくとも何れか一方をより適正に行うことができる。
【００１８】
請求項６に記載の発明によれば、請求項１〜４に記載の発明と同様の効果が得られるのは無論のこと、特に、通信素子による赤外線通信の感度が低下することがなくなって、当該通信素子によって赤外線を介した情報の送信及び受信のうちの少なくとも何れか一方をより適正に行うことができる。
【００１９】
請求項７に記載の発明によれば、反射型偏光フィルムは、無線モジュールのアンテナにより送信又は受信される波長の電波を透過するので、液晶表示パネルよりも外光入射側と反対側に無線モジュールを配設しても、当該無線モジュールによる電波の通信感度が低下することがなくなって、当該反射型偏光フィルムを備える液晶表示パネルの表示領域を十分に確保することができる。これにより、機器ケースを金属製としても無線モジュールによる通信を適正に行うことができる。
また、反射型偏光フィルムは、可視光の全ての波長のうちの少なくとも一部の波長の光を反射するので、当該反射型偏光フィルムによって無線モジュールが機器ケースの外光入射側からは見えないこととなって、美的外観に優れたものとすることができる。
【００２０】
請求項８に記載の発明によれば、液晶表示パネルよりも外光入射側と反対側に配設される光反射フィルムは、無線モジュールのアンテナにより送信又は受信される波長の電波を透過するので、光反射フィルムよりも外光入射側と反対側に無線モジュールを配設しても、当該無線モジュールによる電波の通信感度が低下することがなくなって、液晶表示パネルの表示領域を十分に確保することができる。これにより、機器ケースを金属製としても無線モジュールによる通信を適正に行うことができる。
また、光反射フィルムは、可視光の全ての波長のうちの少なくとも一部の波長の光を反射するので、当該光反射フィルムによって無線モジュールが機器ケースの外光入射側からは見えないこととなって、美的外観に優れたものとすることができる。
【発明を実施するための最良の形態】
【００２１】
以下に、本発明について、図面を用いて具体的な態様を説明する。ただし、発明の範囲は、図示例に限定されない。
【００２２】
［実施形態１］
図１は、本発明を適用した実施形態１の電子機器として例示する腕時計を示す平面図であり、図２は、図１のII−II線における要部の拡大断面図である。また、図３は、腕時計に備わる液晶表示パネルとアンテナの配置状態を模式的に示した図である。
【００２３】
図１〜図３に示すように、実施形態１の腕時計１００には、時計計時部１を内部に収納する機器ケースとしての時計ケース２が備えられている。
時計ケース２の上部中央には時計ガラス３が装着され、また、時計ケース２の下面には、防水リング４を介して裏蓋５が取り付けられている。さらに、時計ケース２の外周部には、当該腕時計１００の各種機能の実行を指示するスイッチ６、…が設けられている。
また、図２に示すように、時計ケース２の時計計時部１を挟んだ両端部、即ち、時計ケース２の当該腕時計１００における１２時方向側及び６時方向側の端部には、バンド軸７１を介して時計バンド７が設けられている。
【００２４】
なお、時計ケース２は、当該腕時計１００を美的外観に優れたものとする上で、金属製とすることが好ましい。
【００２５】
時計計時部１は、図２に示すように、デジタル表示機能を備える液晶表示パネル８が配設された上部ハウジング１Ａと、この上部ハウジング１Ａよりも外光入射側（図２における上側）と反対側（図２における下側）に配設された下部ハウジング１Ｂとを備えている。
下部ハウジング１Ｂには、当該腕時計１００が各種動作を行うための電源として用いられる電池１０が配設されている。また、下部ハウジング１Ｂと上部ハウジング１Ａとの間には、液晶表示パネル８とインターコネクター１１を介して接続された回路基板１２が配置されている。
上部ハウジング１Ａには、液晶表示パネル８、アンテナ（通信素子）９が外光入射側から順に配置されている。
【００２６】
アンテナ９は、例えば、上部ハウジング１Ａ内の１２時方向側の端部よりの位置に配設され、所定の接続線９１を介して回路基板１２に電気的に接続されている。
また、アンテナ９は、例えば、電波信号により情報の送信及び受信のうちの少なくとも何れか一方を行うものである。具体的には、例えば、アンテナ９は、電波時計用のものであっても良いし、ＲＦ−ＩＤ（Radio Frequency Identification）システムを構成するデータキャリアモジュール用のものであっても良い。
【００２７】
液晶表示パネル８は、上部ハウジング１Ａの上端部に、時計ガラス３に対向させるようにして取り付けられている。
この液晶表示パネル８は、第一の光透過基板８１とこの第一の光透過基板８１の外光入射側と反対側に配設された第二の光透過基板８２との間に液晶が設けられ、第一の光透過基板８１の外光入射側の面に配設された上偏光板（第一の偏光部材）８３と、第二の光透過基板８２の外光入射側と反対側の面に配設された反射型偏光フィルム（第二の偏光部材）８４と、反射型偏光フィルム８４の外光入射側と反対側の面に貼設されたシート８５とを備えている。
【００２８】
第一の光透過基板８１と第二の光透過基板８２には、それぞれ透明電極（図示略）が配設され、これら透明電極は、インターコネクター１１を介して回路基板１２に接続されている。
上偏光板８３は、その透過軸方向（偏光方向）にほぼ平行する方向の振動面をもつ直線偏光を透過し、透過軸方向とほぼ直交する方向の振動面をもつ直線偏光を吸収するものである。
【００２９】
反射型偏光フィルム８４は、アンテナ９により送信又は受信される波長の電波を透過するとともに、当該反射型偏光フィルム８４の透過軸方向に対してほぼ平行な振動面をもつ直線偏光を透過し、透過軸方向とほぼ直交する振動面をもつ直線偏光を反射するものである。
具体的には、反射型偏光フィルム８４は、例えば、ポリエステル系樹脂やアクリル系樹脂等からなる２種類の薄層が交互に積層され、さらに、これら複数の薄層は、透過軸方向の屈折率は等しく、且つ、透過軸方向と直交する方向の屈折率は異なるように設定されたフィルムである。
また、反射型偏光フィルム８４は、その透過軸方向とほぼ直交する振動面をもつ直線偏光のうち、可視光域（例えば、４２０〜８００［ｎｍ］）の波長の光を反射するようになっている。即ち、反射型偏光フィルム８４の複数の薄層は、隣合う２種類の薄層を一組とし、各組を構成する各薄層の厚さが可視光の所定の波長（λ）の１／４となる程度に設定され、さらに、各組が可視光域の異なる波長の光に対応して構成されている。これによっ
て、反射型偏光フィルム８４の隣合う所定の薄層どうしの境界面により、可視光域の所定の波長の光を反射することができることとなって、例えば、当該反射型偏光フィルム８４の複数の薄層全体により、可視光域の全ての波長の光を反射することができるようになっている。
【００３０】
シート８５は、反射型偏光フィルム８４の略全面を外光入射側と反対側から覆うように貼り付けられ、当該液晶表示パネル８のデジタル表示のコントラストを向上させる上では濃い色を有するものが好ましい。
なお、シート８５の色の濃淡は、液晶表示パネル８のデジタル表示の設定されるコントラストに応じて適宜変更することができる。
【００３１】
上記構成の液晶表示パネル８は、第一の光透過基板８１及び第二の光透過基板８２の透明電極間に電圧が印加されていない状態において、反射型偏光フィルム８４にて可視光を全て反射することでその表面が鏡面のような状態となって金属感を備えさせることができ、一方、電圧を印加した状態において、可視光が反射型偏光フィルム８４を透過してシート８５にて反射されることで時刻等の各種の情報を所定の色（シート８５の色）で表示することができるようになっている。
また、所定の外部通信機器から送信される電波信号は、当該液晶表示パネル８を透過してアンテナ９まで達することとなる一方で、アンテナ９から送信される電波信号は液晶表示パネル８を透過して当該腕時計１００の外部に出力されることとなる。
【００３２】
以上のように、実施形態１の腕時計１００によれば、液晶表示パネル８に備わる反射型偏光フィルム８４は、アンテナ９により送信又は受信される電波信号を透過するので、アンテナ９を液晶表示パネル８よりも外光入射側と反対側に配設しても、アンテナ９による電波信号の通信感度の低下がなくなり、時計ケース２を金属製としてもアンテナ９を用いて電波信号の送信又は受信を適正に行うことができる。従って、反射型偏光フィルム８４を備える液晶表示パネル８の表示領域を十分に確保することができる。
また、反射型偏光フィルム８４は、可視光域の全ての波長の光を反射させることができるので、当該腕時計１００に金属感を備えさせて高級感を向上させることができる。さらに、反射型偏光フィルム８４によってアンテナ９が時計ケース２の外光入射側からは見えないこととなって、腕時計１００を美的外観に優れたものとすることができる。
【００３３】
＜変形例１＞
なお、上記実施形態１では、通信素子として、電波信号により情報の送信又は受信を行うアンテナ９を例示したが、これに限られるものではなく、例えば、赤外線を用いて送信や受信を行う通信素子から成る赤外線通信モジュール１３であっても良い（図４参照）。
即ち、変形例１の腕時計は、図４に示すように、液晶表示パネル１０８の反射型偏光フィルム８４の外光入射側と反対側に、腕時計内に入射されて液晶表示パネル１０８を透過した光のうち、赤外線以外の波長の光をカットして赤外線を透過させる赤外線透過フィルター１４が配設され、この赤外線透過フィルター１４よりも外光入射側と反対側に赤外線通信モジュール１３が配設されている。
これにより、所定の外部通信機器から送信される赤外線は、当該液晶表示パネル１０８及び赤外線透過フィルター１４を透過して赤外線通信モジュール１３に達することとなる一方で、赤外線通信モジュール１３から送信される赤外線は赤外線透過フィルター１４及び液晶表示パネル１０８を透過して当該腕時計の外部に出力されることとなる。
【００３４】
なお、赤外線透過フィルター１４は、液晶表示パネル１０８のデジタル表示のコントラストを向上させる上では濃い色を有するものが好ましい。
【００３５】
従って、変形例１の腕時計によれば、反射型偏光フィルム８４は赤外線通信モジュール
１３により送信又は受信される赤外線を透過するので、赤外線通信モジュール１３を液晶表示パネル１０８よりも外光入射側と反対側に配設しても、赤外線通信モジュール１３による赤外線通信の感度の低下がなくなり、時計ケース２を金属製としても赤外線通信モジュール１３による赤外線通信を適正に行うことができる。これにより、反射型偏光フィルム８４を備える液晶表示パネル１０８の表示領域を十分に確保することができる。
また、反射型偏光フィルム８４は、可視光域の全ての波長の光を反射させることができるので、当該腕時計に金属感を備えさせて高級感を向上させることができる。さらに、反射型偏光フィルム８４によって赤外線通信モジュール１３が時計ケース２の外光入射側からは見えないこととなって、腕時計を美的外観に優れたものとすることができる。
【００３６】
［実施形態２］
以下に、実施形態２の腕時計２００について図５及び図６を参照して説明する。
ここで、図５は、本発明を適用した実施形態２の電子機器として例示する腕時計２００の要部の拡大断面図であり、図６は、腕時計２００に備わる液晶表示パネル２０８と光反射フィルム１５とアンテナ９の配置状態を模式的に示した図である。
なお、実施形態２の腕時計２００を構成する各部のうち、上記実施形態１と同様の構成には同一の符号を付してその説明を省略する。
【００３７】
図５及び図６に示すように、実施形態２の腕時計２００は、実施形態１の腕時計１００における反射型偏光フィルム８４の代わりに下偏光板８６と光反射フィルム１５を備えている。
具体的には、液晶表示パネル２０８は、第二の光透過基板８２の外光入射側と反対側の面に、上偏光板８３とほぼ同様の構成をなす下偏光板８６が配設されている。即ち、下偏光板８６は、その透過軸方向にほぼ平行する方向の振動面をもつ直線偏光を透過し、透過軸方向とほぼ直交する方向の振動面をもつ直線偏光を吸収するものである。
また、下偏光板８６の外光入射側と反対側の面に、可視光域の波長の光を反射するとともに、アンテナ９により送信又は受信される波長の電磁波を透過する光反射フィルム１５が配設されている。
光反射フィルム１５は、例えば、反射型偏光フィルム８４と同様に、ポリエステル系樹脂やアクリル系樹脂等からなる２種類の薄層が交互に積層されてなり、複数の薄層は、隣合う２種類の薄層を一組とし、各組を構成する各薄層の厚さが可視光の所定の波長（λ）の１／４となる程度に設定され、さらに、各組が可視光域（例えば、４２０〜８００［ｎｍ］）の異なる波長の光に対応して構成されている。これにより、光反射フィルム１５は、例えば、可視光域の全ての波長の光を反射することができるようになっている。
【００３８】
上記構成によれば、第一の光透過基板８１及び第二の光透過基板８２の透明電極間に電圧が印加されていない状態において、光反射フィルム１５にて可視光を全て反射することでその表面が鏡面のような状態となって金属感を備えさせることができ、一方、電圧を印加した状態において、可視光が下偏光板８６にて吸収されることで時刻等の各種の情報を表示することができるようになっている。
また、所定の外部通信機器から送信される電波信号は、当該液晶表示パネル２０８及び光反射フィルム１５を透過してアンテナ９まで達することとなる一方で、アンテナ９から送信される電波信号は光反射フィルム１５及び液晶表示パネル２０８を透過して当該腕時計２００の外部に出力されることとなる。
【００３９】
以上のように、実施形態２の腕時計２００によれば、液晶表示パネル２０８よりも外光入射側と反対側に配設される光反射フィルム１５は、アンテナ９により送信又は受信される電波信号を透過するので、アンテナ９を光反射フィルム１５よりも外光入射側と反対側に配設しても、アンテナ９による電波信号の通信感度の低下がなくなり、液晶表示パネル２０８の表示領域を十分に確保することができる。
また、光反射フィルム１５は、可視光域の全ての波長の光を反射させることができるので、当該腕時計２００に金属感を備えさせて高級感を向上させることができる。さらに、光反射フィルム１５によってアンテナ９が時計ケース２の外光入射側からは見えないこととなって、腕時計２００を美的外観に優れたものとすることができる。
【００４０】
＜変形例２＞
変形例２の腕時計は、実施形態２の腕時計２００におけるアンテナ９に代えて赤外線通信モジュール１３を備えている（図７参照）。
即ち、変形例２の腕時計は、図７に示すように、光反射フィルム１５の外光入射側と反対側に赤外線通信モジュール１３が配設されている。
これにより、所定の外部通信機器から送信される赤外線は、当該液晶表示パネル２０８及び光反射フィルム１５を透過して赤外線通信モジュール１３に達することとなる一方で、赤外線通信モジュール１３から送信される赤外線は光反射フィルム１５及び液晶表示パネル８を透過して当該腕時計の外部に出力されることとなる。
【００４１】
従って、変形例２の腕時計によれば、光反射フィルム１５は赤外線通信モジュール１３により送信又は受信される赤外線を透過するので、赤外線通信モジュール１３を光反射フィルム１５よりも外光入射側と反対側に配設しても、赤外線通信モジュール１３による赤外線通信感度の低下がなくなり、液晶表示パネル２０８の表示領域を十分に確保することができる。
また、光反射フィルム１５は、可視光域の全ての波長の光を反射させることができるので、当該腕時計に金属感を備えさせて高級感を向上させることができる。さらに、光反射フィルム１５によって赤外線通信モジュール１３が時計ケース２の外光入射側からは見えないこととなって、腕時計を美的外観に優れたものとすることができる。
【００４２】
［実施形態３］
以下に、実施形態３の腕時計３００について図８及び図９を参照して説明する。
ここで、図８は、本発明を適用した実施形態３の電子機器として例示する腕時計３００の要部の拡大断面図であり、図９は、腕時計３００に備わる液晶表示パネル８とＬＥＤ１６と導光板１７とアンテナ９の配置状態を模式的に示した図である。
なお、実施形態３の腕時計３００は、ＬＥＤ１６、導光板１７及び光反射フィルム１５以外の点では実施形態１とほぼ同様であるので、同様の構成には同一の符号を付してその説明を省略する。
【００４３】
図８及び図９に示すように、実施形態３の腕時計３００は、液晶表示パネル８のバックライト用のＬＥＤ（発光素子）１６、導光板１７及び光反射フィルム１５を備えている。
【００４４】
導光板１７は、液晶表示パネル８とアンテナ９との間に配設され、具体的には、その外光入射側の面をシート８５の外光入射側と反対側の面に対向させるようにして配設されている。
ＬＥＤ１６は、導光板１７の側面に近接するように当該導光板１７の外側、例えば１２時方向側に設けられ、導光板１７に向けて光を照射するものである。また、ＬＥＤ１６は、一端が回路基板１２に接続されるとともに他端が当該ＬＥＤ１６に接続された導電性のコイルばね等の付勢部材１６１により外光入射側に付勢されている。
なお、ＬＥＤ１６は、例えば、所定のスイッチ６と電気的に接続されており、当該スイッチ６がユーザにより押圧操作されることで発光するようになっている。
光反射フィルム１５は、実施形態２の腕時計２００における光反射フィルム１５とほぼ同様の構成をなすものであり、導光板１７の外光入射側と反対側の面に貼設され、導光板１７内を導光される光をより効率的に液晶表示パネル８側へ反射させるものである。
【００４５】
上記構成により、ＬＥＤ１６から出力された光は、導光板１７に採り込まれ、採り込まれた光は導光板１７内を導光され、また、光反射フィルム１５により外光入射側に反射され、導光板１７全体あるいは所定の出力位置から出力されて液晶表示パネル８に照射されるようになっている。
【００４６】
シート８５は、液晶表示パネル８のデジタル表示のコントラストを向上させる上で濃い色を有し、且つ、可視光の透過率が例えば１０〜５０％程度であるものが好ましい。
【００４７】
以上のように、実施形態３の腕時計３００によれば、導光板１７に対してＬＥＤ１６から照射され入射された光が当該導光板１７によって導光されるので、導光された光が液晶表示パネル８に照射されることとなって、暗所にて液晶表示パネル８に表示された情報を時計ケース２の外光入射側からより適正に視認することができる。
また、反射型偏光フィルム８４及び光反射フィルム１５は、アンテナ９により送信又は受信される電波信号を透過するので、アンテナ９を液晶表示パネル８よりも外光入射側と反対側に配設しても、アンテナ９による電波信号の通信感度の低下がなくなり、液晶表示パネル８の表示領域を十分に確保することができる。さらに、液晶表示パネル８のデジタル表示のコントラストを向上させるために、可視光の透過率が例えば１０〜５０％程度のシート８５を用いても、アンテナ９よりも外光入射側に設けられた光反射フィルム１５によって、可視光は全て反射されることとなるので、当該腕時計３００に金属感を備えさせて高級感を向上させることができ、また、アンテナ９が時計ケース２の外光入射側からは見えないこととなって、美的外観により優れた腕時計３００を提供することができる。
【００４８】
＜変形例３＞
変形例３の腕時計は、実施形態３の腕時計３００におけるアンテナ９に代えて赤外線通信モジュール１３を備えている（図１０参照）。
即ち、変形例３の腕時計は、図１０に示すように、光反射フィルム１５の外光入射側と反対側に赤外線通信モジュール１３が配設されている。また、液晶表示パネル１０８の反射型偏光フィルム８４と導光板１７との間に赤外線透過フィルター１４が配設されている。
【００４９】
なお、赤外線透過フィルター１４は、少なくとも赤外線を透過させるものであり、液晶表示パネル１０８のデジタル表示のコントラストを向上させる上で濃い色を有し、且つ、可視光の透過率が例えば１０〜５０％程度であるものが好ましい。
【００５０】
従って、変形例３の腕時計によれば、反射型偏光フィルム８４及び光反射フィルム１５は赤外線通信モジュール１３により送信又は受信される赤外線を透過するので、赤外線通信モジュール１３による赤外線通信の感度の低下がなくなり、液晶表示パネル１０８の表示領域を十分に確保することができる。また、反射型偏光フィルム８４及び光反射フィルム１５によって赤外線通信モジュール１３が時計ケース２の外光入射側からは見えないこととなって、腕時計を美的外観に優れたものとすることができる。
【００５１】
［実施形態４］
以下に、実施形態４の腕時計４００について図１１及び図１２を参照して説明する。
ここで、図１１は、本発明を適用した実施形態４の電子機器として例示する腕時計４００の要部の拡大断面図であり、図１２は、腕時計４００に備わる液晶表示パネル４０８と光反射フィルム１５とＬＥＤ１６と導光板１７とアンテナ９の配置状態を模式的に示した図である。
なお、実施形態４の腕時計４００は、ＬＥＤ１６及び導光板１７以外の点では実施形態２とほぼ同様であるので、同様の構成には同一の符号を付してその説明を省略する。
【００５２】
図１１及び図１２に示すように、実施形態４の腕時計４００は、液晶表示パネル４０８の外光入射側と反対側に、実施形態３の腕時計３００と同様に、液晶表示パネル４０８のバックライト用のＬＥＤ１６（発光素子）及び導光板１７を備えている。
即ち、導光板１７は、その外光入射側の面を下偏光板８６の外光入射側と反対側の面に対向させるように配設され、前記導光板１７の側面に近接するように当該導光板１７の外側にＬＥＤ１６が配設されている。また、導光板１７の外光入射側と反対側の面に光反射フィルム１５が貼設されている。
【００５３】
以上のように、実施形態４の腕時計４００によれば、導光板１７に対してＬＥＤ１６から照射され入射された光が当該導光板１７によって導光されるので、導光された光が液晶表示パネル４０８に照射されることなって、暗所にて液晶表示パネル４０８に表示された情報を時計ケース２の外光入射側からより適正に視認することができる。
また、光反射フィルム１５は、アンテナ９により送信又は受信される電波信号を透過するので、アンテナ９による電波信号の通信感度の低下がなくなり、液晶表示パネル４０８の表示領域を十分に確保することができる。また、光反射フィルム１５によってアンテナ９が時計ケース２の外光入射側からは見えないこととなって、腕時計４００を美的外観に優れたものとすることができる。
【００５４】
＜変形例４＞
変形例４の腕時計は、実施形態４の腕時計４００におけるアンテナ９に代えて赤外線通信モジュール１３を備えている（図１３参照）。
即ち、変形例４の腕時計は、図１３に示すように、光反射フィルム１５の外光入射側と反対側に赤外線通信モジュール１３が配設されている。
【００５５】
従って、変形例４の腕時計によれば、光反射フィルム１５は赤外線通信モジュール１３により送信又は受信される赤外線を透過するので、赤外線通信モジュール１３による赤外線通信の感度の低下がなくなり、液晶表示パネル４０８の表示領域を十分に確保することができる。また、光反射フィルム１５によって赤外線通信モジュール１３が時計ケース２の外光入射側からは見えないこととなって、腕時計を美的外観に優れたものとすることができる。
【００５６】
［実施形態５］
以下に、実施形態５の腕時計５００について図１４及び図１５を参照して説明する。
ここで、図１４は、本発明を適用した実施形態９の電子機器として例示する腕時計５００を示す平面図であり、図１５は、図１４のＸＶ−ＸＶ線における要部の拡大断面図である。
【００５７】
図１４及び図１５に示すように、実施形態５の腕時計５００は、時計ケース５０２内にアナログ指針機構５０を備える時計計時部５０１が収納され、その時計計時部５０１の回路基板５１２に、文字板５１０の所定位置（例えば、１２時方向側の端部）を照明するためのＬＥＤ５１６が接続されている。
また、時計ケース５０２の１２時方向側の端部に形成されたバンド取付部５０２Ａには、回路基板５１２と接続線９１を介して電気的に接続されたアンテナ９が配設されている。
具体的には、バンド取付部５０２Ａには、アンテナ９を収納するためのアンテナ収納部５２１が形成され、このアンテナ収納部５２１の外光入射側の開口を覆うように光反射カバー部材５２２が配設されている。この光反射カバー部材５２２は、例えば、所定の樹脂に光反射フィルム１５をインサート成形することで形成されている。
これにより、可視光は光反射カバー部材５２２にて反射され、また、所定の外部通信機器から送信される電波信号は、光反射カバー部材５２２を透過してアンテナ９まで達する
こととなる一方で、アンテナ９から送信される電波信号は光反射カバー部材５２２を透過して当該腕時計５００の外部に出力されることとなる。
【００５８】
アナログ指針機構５０は、例えば、文字板５１０の軸孔からその上方に延びる指針軸５０ａと、この指針軸５０ａに取り付けられた時針、分針などの指針５０ｂと、文字板５１０の上方にて指針５０ｂを指針軸５０ａを中心として運針する運針機構部５０ｃとを備えて構成されている。
【００５９】
従って、実施形態５の腕時計５００によれば、光反射カバー部材５２２は、アンテナ９により送信又は受信される電波信号を透過するので、アンテナ９による電波信号の送信又は受信において通信感度が低下することがない。
また、光反射カバー部材５２２は、可視光域の全ての波長の光を反射させることができるので、当該腕時計５００に金属感を備えさせて高級感を向上させることができ、さらに、光反射カバー部材５２２によってアンテナ９が時計ケース５０２の外光入射側からは見えないこととなって、腕時計５００を美的外観に優れたものとすることができる。
【００６０】
なお、上記実施形態５では、通信素子として、電波信号により情報の送信又は受信を行うアンテナ９を配設するようにしたが、これに限られるものではなく、例えば、赤外線通信を行うための赤外線通信モジュール１３（図示略）を配設するようにしても良い。
【００６１】
［実施形態６］
以下に、実施形態６の携帯電話機６００について図１６〜図１８を参照して説明する。
ここで、図１６は、本発明を適用した実施形態６の電子機器として例示する携帯電話機６００を示す平面図であり、図１７は、図１６のＸＶII−ＸＶII線における要部の拡大断面図である。なお、図１７は、本願発明に関わる要部のみを示す。
【００６２】
図１６に示すように、実施形態６の携帯電話機６００は、本体部６０１と、本体部６０１にヒンジ結合部６０２を介して連結された蓋部６０３とを備えて構成された折り畳み型の携帯電話機６００である。
携帯電話機６００は、主に蓋部６０３を開いた状態（開状態）で使用するものであり、この状態で、本体部６０１の一方の面（携帯電話機６００を閉じた状態で蓋部６０３と対向する側の面）には、スイッチ群６１１、通話用マイク６１２等が設けられ、また、蓋部６０３の一方の面（当該携帯電話機６００を閉じた状態で本体部６０１と対向する側の面）には、上端に配置された通話用スピーカ６３１と、この通話用スピーカ６３１の下側にて、ガラス板６３２を介して視認側に臨ませるように液晶表示パネル６０８が配設されている。
【００６３】
液晶表示パネル６０８は、蓋部６０３の筐体（機器ケース）６０３Ａ内に配設され、当該液晶表示パネル６０８の外光入射側と反対側に反射型偏光フィルム８４が設けられている。
また、反射型偏光フィルム８４よりも外光入射側と反対側に、回路基板６１２に電気的に接続され、外部通信機器（図示略）との間で電波により情報の送受信を行うための無線モジュール（通信素子）６０９が配設されている。
【００６４】
以下に、無線モジュール６０９について図１８を参照して説明する。
ここで、図１８（ａ）は、無線モジュール６０９の枠状部６９１の外光入射側を示す平面図であり、図１８（ｂ）は、図１８（ａ）の無線モジュール６０９の裏側、即ち、枠状部６９１の外光入射側と反対側を示す底面図である。
【００６５】
図１８（ａ）及び図１８（ｂ）に示すように、無線モジュール６０９は、例えば、平面
視略矩形枠状に形成されてなる枠状部６９１と、この枠状部６９１の外周の一端部から延出して形成されたリード部６９２とを有するフレキシブル基板６９３を備えている。
【００６６】
枠状部６９１は、液晶表示パネル６０８に対して略水平に配設され、その略全面には、その表裏面に亘ってコイルが配線され、外部通信機器との間で情報の送受信を行うためのアンテナ６０９Ａが設けられている。
リード部６９２は、その枠状部６９１と反対側となる部分の裏面に、アンテナ６０９Ａと電気的に接続されたＩＣチップ６９４と、所定数（図１８（ｂ）には、３つ図示）のコンデンサ６９５と、ＩＣチップ６９４と接続線を介して接続され、当該ＩＣチップ６９４と回路基板１２とを電気的に接続するための所定数（図１８（ｂ）には、５つ図示）の接続端子６９６が配設されている。
さらに、リード部６９２は、その枠状部６９１側の端部が、当該枠状部６９１に対し略直角となるように第一折曲部６９２ａにて外光入射側と反対側に折り曲げられ、また、第一折曲部６９２ａよりも先端側が、枠状部６９１と対向するように第二折曲部６９２ｂにて液晶表示パネル６０８の中心側に折り曲げられており、蓋部６０３内に配設された状態で全体として断面略コ字状となるように形成されている。
【００６７】
上記構成によれば、外光入射側から入射された電波は、液晶表示パネル６０８を透過して、当該液晶表示パネル６０８よりも外光入射側と反対側に配設された無線モジュール６０９のアンテナ６０９Ａまで達することとなる一方で、アンテナ６０９Ａから送信される電波信号は液晶表示パネル６０８を透過して当該携帯電話機６００の外部に出力されることとなる。
一方、携帯電話機６００に入射される可視光は、液晶表示パネル６０８の反射型偏光フィルム８４にて反射されるようになっている。
【００６８】
なお、携帯電話機６００は、少なくとも他の電話機等と通話可能に構成されたものであれば如何なるものであっても良く、上記説明した本発明に係る構成以外の携帯電話機６００の構成については、その説明を省略する。
【００６９】
以上のように、実施形態６の携帯電話機６００によれば、液晶表示パネル６０８に備わる反射型偏光フィルム８４は、無線モジュール６０９のアンテナ６０９Ａにより送信又は受信される電波信号を透過するので、無線モジュール６０９を液晶表示パネル６０８よりも外光入射側と反対側に配設しても、無線モジュール６０９による電波信号の送信又は受信における通信感度の低下がなくなり、筐体６０３Ａを金属製としても無線モジュール６０９を用いて電波信号の送信又は受信を適正に行うことができる。従って、反射型偏光フィルム８４を備える液晶表示パネル６０８の表示領域を十分に確保することができる。
また、反射型偏光フィルム８４は、可視光域の全ての波長の光を反射するので、当該携帯電話機６００に金属感を備えさせて高級感を向上させることができ、さらに、反射型偏光フィルム８４によって無線モジュール６０９が筐体６０３Ａの外光入射側からは見えないこととなって、携帯電話機６００を美的外観に優れたものとすることができる。
【００７０】
［実施形態７］
以下に、実施形態７の携帯電話機７００について図１９を参照して説明する。
ここで、図１９は、本発明を適用した実施形態７の電子機器として例示する携帯電話機７００の要部の拡大断面図である。
なお、図１９は、実施形態７の携帯電話機７００を構成する各部のうち本願発明に関わる要部のみを示すと共に、上記実施形態６と同様の構成には同一の符号を付してその説明を省略する。
【００７１】
図１９に示すように、実施形態７の携帯電話機７００は、実施形態６の携帯電話機６０
０における反射型偏光フィルム８４の代わりに下偏光板８６と光反射フィルム１５を備えている。
具体的には、液晶表示パネル７０８は、第二の光透過基板８２の外光入射側と反対側の面に、上偏光板８３とほぼ同様の構成をなす下偏光板８６が配設されている。また、下偏光板８６の外光入射側と反対側の面に、可視光域の全ての波長の光を反射するとともに、無線モジュール６０９のアンテナ６０９Ａにより送信又は受信される波長の電波を透過する光反射フィルム１５が配設されている。
【００７２】
上記構成によれば、外光入射側から入射された電波は、液晶表示パネル７０８及び光反射フィルム１５を透過して、当該光反射フィルム１５よりも外光入射側と反対側に配設された無線モジュール６０９のアンテナ６０９Ａまで達することとなる一方で、アンテナ６０９Ａから送信される電波信号は光反射フィルム１５及び液晶表示パネル７０８を透過して当該携帯電話機７００の外部に出力されることとなる。
一方、携帯電話機７００に入射される可視光は、光反射フィルム１５にて反射されるようになっている。
【００７３】
以上のように、実施形態７の携帯電話機７００によれば、液晶表示パネル７０８よりも外光入射側と反対側に配設される光反射フィルム１５は、無線モジュール６０９のアンテナ６０９Ａにより送信又は受信される電波信号を透過するので、無線モジュール６０９を光反射フィルム１５よりも外光入射側と反対側に配設しても、無線モジュール６０９による電波信号の送信又は受信における通信感度の低下がなくなり、液晶表示パネル７０８の表示領域を十分に確保することができる。
また、光反射フィルム１５は、可視光域の全ての波長の光を反射するので、当該携帯電話機７００に金属感を備えさせて高級感を向上させることができ、さらに、光反射フィルム１５によって無線モジュール６０９が筐体６０３Ａの外光入射側からは見えないこととなって、携帯電話機７００を美的外観に優れたものとすることができる。
【００７４】
なお、本発明は、上記実施形態に限定されることなく、本発明の趣旨を逸脱しない範囲において、種々の改良並びに設計の変更を行っても良い。
例えば、上記実施形態１〜７の腕時計１００〜５００及び携帯電話機６００、７００に係る反射型偏光フィルム８４及び光反射フィルム１５並びに光反射カバー部材５２２は、可視光域の全ての波長の光を反射するようにしたが、これに限られるものではなく、例えば、可視光の全ての波長のうちの少なくとも一部の波長の光を反射することができれば良い。即ち、当該反射型偏光フィルム８４及び光反射フィルム１５並びに光反射カバー部材５２２よりも外光入射側と反対側に配設されるアンテナ９、赤外線通信モジュール１３及び無線モジュール６０９が、時計ケース２、５０２及び蓋部６０３の筐体６０３Ａの外光入射側からは見えないこととすることができれば良く、これにより、腕時計１００〜５００及び携帯電話機６００、７００を美的外観に優れたものとすることができる。
なお、可視光のうち、反射型偏光フィルム８４及び光反射フィルム１５並びに光反射カバー部材５２２により反射される所定の波長の光は、複数の薄層のうちの、隣合う２種類の薄層からなる各組の各々の薄層の厚さを目的とする所定の波長（λ）の１／４となる程度に設定することで調整することができる。
【００７５】
また、光反射フィルム１５として、例えば、ガラス等の所定の基材に誘電体を蒸着等により多層構造に設けたものを適用しても良い。
また、光反射カバー部材５２２はインサート成形に限らず、光反射カバー部材５２２自体に誘電体を蒸着等により多層構造に設けたものを適用しても良い。
【００７６】
さらに、上記実施形態１〜７では、電子機器として腕時計１００〜５００及び携帯電話機６００、７００を例示したが、これに限られるものではなく、電磁波を用いて情報の送
信及び受信のうちの少なくとも何れか一方を行う通信素子を備える電子機器であれば如何なるものであっても良い。
【図面の簡単な説明】
【００７７】
【図１】本発明を適用した実施形態１の電子機器として例示する腕時計を示す平面図である。
【図２】図１のII−II線における要部の拡大断面図である。
【図３】図１の腕時計に備わる液晶表示パネルとアンテナの配置状態を模式的に示した図である。
【図４】変形例１の腕時計に備わる液晶表示パネルと赤外線通信モジュールの配置状態を模式的に示した図である。
【図５】本発明を適用した実施形態２の電子機器として例示する腕時計の要部の拡大断面図である。
【図６】図５の腕時計に備わる液晶表示パネルと光反射フィルムとアンテナの配置状態を模式的に示した図である。
【図７】変形例２の腕時計に備わる液晶表示パネルと光反射フィルムと赤外線通信モジュールの配置状態を模式的に示した図である。
【図８】本発明を適用した実施形態３の電子機器として例示する腕時計の要部の拡大断面図である。
【図９】図８の腕時計に備わる液晶表示パネルとＬＥＤと導光板とアンテナの配置状態を模式的に示した図である。
【図１０】変形例３の腕時計に備わる液晶表示パネルとＬＥＤと導光板と赤外線通信モジュールの配置状態を模式的に示した図である。
【図１１】本発明を適用した実施形態４の電子機器として例示する腕時計の要部の拡大断面図である。
【図１２】図１１の腕時計に備わる液晶表示パネルと光反射フィルムとＬＥＤと導光板とアンテナの配置状態を模式的に示した図である。
【図１３】変形例４の腕時計に備わる液晶表示パネルと光反射フィルムとＬＥＤと導光板と赤外線通信モジュールの配置状態を模式的に示した図である。
【図１４】本発明を適用した実施形態５の電子機器として例示する腕時計を示す平面図である。
【図１５】図１４のＸＶ−ＸＶ線における要部の拡大断面図である。
【図１６】本発明を適用した実施形態６の電子機器として例示する携帯電話機を示す平面図である。
【図１７】図１６のＸＶII−ＸＶII線における要部の拡大断面図である。
【図１８】図１６の携帯電話機に備わる無線モジュールを示す平面図（ａ）及び底面図（ｂ）である。
【図１９】本発明を適用した実施形態７の電子機器として例示する携帯電話機の要部の拡大断面図である。
【符号の説明】
【００７８】
１００、２００、３００、４００、５００  腕時計（電子機器）
６００、７００  携帯電話機（電子機器）
２、５０２  時計ケース（機器ケース）
８、１０８、２０８、４０８、４０８、６０８、７０８  液晶表示パネル
８１      第一の光透過基板
８２      第二の光透過基板
８３      上偏光板（第一の偏光部材）
８４      反射型偏光フィルム
８６      下偏光板（第二の偏光部材）
９        アンテナ（通信素子）
１３      赤外線通信モジュール（通信素子）
１５      光反射フィルム
１６      ＬＥＤ（発光素子）
１７      導光板
５２２    光反射カバー部材
６０９    無線モジュール
６０９Ａ  アンテナ
【図１】
2006292428.tif 000003
【図２】
2006292428.tif 000004
【図３】
2006292428.tif 000005
【図４】
2006292428.tif 000006
【図５】
2006292428.tif 000007
【図６】
2006292428.tif 000008
【図７】
2006292428.tif 000009
【図８】
2006292428.tif 000010
【図９】
2006292428.tif 000011
【図１０】
2006292428.tif 000012
【図１１】
2006292428.tif 000013
【図１２】
2006292428.tif 000014
【図１３】
2006292428.tif 000015
【図１４】
2006292428.tif 000016
【図１５】
2006292428.tif 000017
【図１６】
2006292428.tif 000018
【図１７】
2006292428.tif 000019
【図１８】
2006292428.tif 000020
【図１９】
2006292428.tif 000021